(57)【要約】【課題】ネットワークに接続できないユーザに対してもそのアクセス権の範囲内の情報の提供を行なうことができるシステムを配信する。【解決手段】代理店Ａのコンピュータ４０から、その管理下にある代理店Ｂのコンピュータ５０にセットされたときに代理店Ｂのアクセス権の範囲内の情報がオフラインで提供できるＣＤ−ＲＯＭの作成の要請があったときに、代理店管理データベース３２に記憶された代理店Ｂのアクセス権に基づいて文書情報データベース３３および部品情報データベース３４からその範囲内の文書情報と部品情報とを抽出し、システムプログラムと共に配信先として代理店Ａのコンピュータ４０のＣＤドライブ４８を指定して配信する。こうして作成されたＣＤ−ＲＯＭを代理店Ｂのコンピュータ５０にセットして情報提供機器として機能させることにより代理店Ｂに必要な情報の提供を行なうことができる。【選択図】　　　　図１
2004086686.tif 000002
【特許請求の範囲】
【請求項１】
所定の情報のうちユーザのアクセス権に応じた情報を該ユーザにネットワークを介して提供する情報提供装置であって、
前記ネットワークを介してユーザから、コンピュータにインストールすることにより該コンピュータを前記所定の情報のうち該ユーザのアクセス権の範囲内の少なくとも一部の情報の提供が可能な情報提供機器として機能させる情報提供プログラムと該情報提供機器により提供すべき提供情報との配信の要請を受け付ける要請受付手段と、
該要請に基づいて前記提供情報を調整する情報調整手段と、
該調整した提供情報と前記情報提供プログラムとを前記要請に係るユーザに前記ネットワークを介して配信する配信手段と、
を備える情報提供装置。
【請求項２】
請求項１記載の情報提供装置であって、
前記ユーザは階層化されて構成されており、
前記要請受付手段は、上位のユーザから、該上位のユーザの管理下にある下位のユーザのコンピュータを該下位のユーザのアクセス権の範囲内の情報を提供する情報提供機器として機能させるための情報提供プログラムと提供情報と配信の要請を受け付ける手段である
情報提供装置。
【請求項３】
請求項１または２記載の情報提供装置であって、
前記要請受付手段は、前記情報提供機器で使用する言語を受け付ける手段であり、
前記情報調整手段は、前記要請受付手段で受け付けた言語を使用言語とする情報により前記提供情報を調整する手段である
情報提供装置。
【請求項４】
請求項１ないし３いずれか記載の情報提供装置であって、
前記情報提供プログラムは、使用期間が設定されたときには該設定された使用期間内のみ起動可能なプログラムであり、
前記要請受付手段は、前記情報提供プログラムの使用期間を受け付ける手段であり、
前記配信手段は、前記要請受付手段で受け付けた使用期間を伴って前記情報提供プログラムを配信する手段である
情報提供装置。
【請求項５】
前記要請受付手段は、前記ユーザによりアクセス権の範囲内の情報から選択された情報を前記提供情報として受け付ける手段である請求項１ないし４いずれか記載の情報提供装置。
【請求項６】
前記要請受付手段は、前記アクセス権の範囲内の情報の見出しをユーザ側に一覧表示することにより該ユーザにより選択された見出しに係る情報を前記提供情報として受け付ける手段である請求項５記載の情報提供装置。
【請求項７】
前記配信手段は、前記情報提供プログラムと前記提供情報とが記憶された記憶媒体がコンピュータにセットされたときに自動的に該コンピュータを前記情報提供機器として機能させるようユーザ側にセットされた記憶媒体に該情報提供プログラムと該提供情報とが記憶されるよう配信する手段である請求項１ないし６いずれか記載の情報提供装置。
【請求項８】
請求項１ないし７いずれか記載の情報提供装置であって、
前記所定の情報は、製品の部品に関する情報であり、
前記ユーザは、前記製品を販売および／または修理する代理店である
情報提供装置。
【請求項９】
コンピュータを請求項１ないし８いずれか記載の情報提供装置として機能させるプログラム。
【請求項１０】
所定の情報のうちユーザのアクセス権に応じた情報を該ユーザにネットワークを介して提供する際の情報管理方法であって、
（ａ）前記ネットワークを介してユーザから、コンピュータにインストールすることにより該コンピュータを前記所定の情報のうち該ユーザのアクセス権の範囲内の少なくとも一部の情報の提供が可能な情報提供機器として機能させる情報提供プログラムと該情報提供機器により提供すべき提供情報との配信の要請を受け付け、
（ｂ）該要請に基づいて前記提供情報を調整し、
（ｃ）該調整した提供情報と前記情報提供プログラムとを前記要請に係るユーザに前記ネットワークを介して配信する
情報管理方法。
【発明の詳細な説明】
【０００１】
【発明の属する技術分野】
本発明は、情報提供装置および情報管理方法並びにこれらに用いるプログラムに関し、詳しくは、所定の情報のうちユーザのアクセス権に応じた情報を該ユーザにネットワークを介して提供する情報提供装置および情報管理方法並びにこれらに用いるプログラムに関する。
【０００２】
【従来の技術】
従来、この種の情報提供装置としては、ユーザからネットワークを介して情報の提供が要請されたときに、ユーザのアクセス権の範囲内の情報を提供するものが種々提案されている。この装置では、予めユーザに対して提供可能な情報毎にアクセス権を設定し、設定されたアクセス権の範囲内の情報を検索して提供している。
【０００３】
【発明が解決しようとする課題】
しかしながら、こうした情報提供装置では、ネットワークを介して接続されることが条件となるため、地理的な条件や移動途中にあるためにネットワークに接続できないユーザに対しては、そのアクセス権の範囲内の情報であっても提供することができない。
【０００４】
本発明の情報提供装置および情報管理方法は、ネットワークに接続できないユーザに対してもそのアクセス権の範囲内の情報の提供を行なうことを目的の一つとする。また、本発明の情報提供装置および情報管理方法は、ネットワークの接続なしにユーザのアクセス権の範囲内の情報が提供できるシステムをネットワークを介して配信することを目的の一つとする。本発明の情報提供用のプログラムは、コンピュータをネットワークの接続なしにユーザのアクセス権の範囲内の情報が提供できるシステムをネットワークを介して配信する装置として機能させることを目的とする。
【０００５】
【課題を解決するための手段およびその作用・効果】
本発明の情報提供装置および情報管理方法並びにこれらに用いるプログラムは、上述の目的の少なくとも一部を達成するために以下の手段を採った。
【０００６】
本発明の情報提供装置は、
所定の情報のうちユーザのアクセス権に応じた情報を該ユーザにネットワークを介して提供する情報提供装置であって、
前記ネットワークを介してユーザから、コンピュータにインストールすることにより該コンピュータを前記所定の情報のうち該ユーザのアクセス権の範囲内の少なくとも一部の情報の提供が可能な情報提供機器として機能させる情報提供プログラムと該情報提供機器により提供すべき提供情報との配信の要請を受け付ける要請受付手段と、
該要請に基づいて前記提供情報を調整する情報調整手段と、
該調整した提供情報と前記情報提供プログラムとを前記要請に係るユーザに前記ネットワークを介して配信する配信手段と、
を備えることを要旨とする。
【０００７】
この本発明の情報提供装置では、コンピュータにインストールすることによりコンピュータを所定の情報のうちユーザのアクセス権の範囲内の少なくとも一部の情報の提供が可能な情報提供機器として機能させる情報提供プログラムとこの情報提供機器により提供すべき提供情報との配信の要請をユーザからネットワークを介して受け付けたときに、要請に基づいて提供情報を調整し、この調整した提供情報と情報提供プログラムとをそのユーザにネットワークを介して配信するから、ユーザは、配信されたプログラムをコンピュータにインストールすることによりコンピュータを情報提供機器として機能させることができる。したがって、その後、情報提供機器として機能させたコンピュータを用いるだけで、即ち、コンピュータをネットワークに接続することなく、アクセス権の範囲内の情報の提供を受けることができる。
【０００８】
こうした本発明の情報提供装置において、前記ユーザは階層化されて構成されており、前記要請受付手段は、上位のユーザから、該上位のユーザの管理下にある下位のユーザのコンピュータを該下位のユーザのアクセス権の範囲内の情報を提供する情報提供機器として機能させるための情報提供プログラムと提供情報と配信の要請を受け付ける手段であるものとすることもできる。こうすれば、上位のユーザによってそのユーザの管理下にある下位のユーザに用いさせるための情報提供プログラムと提供情報とを配信させることができる。この結果、配信されたプログラムを下位のユーザのコンピュータにインストールして下位のユーザに対してそのアクセス権の範囲内の情報を提供することができる。
【０００９】
また、本発明の情報提供装置において、前記要請受付手段は前記情報提供機器で使用する言語を受け付ける手段であり、前記情報調整手段は前記要請受付手段で受け付けた言語を使用言語とする情報により前記提供情報を調整する手段であるものとすることもできる。こうすれば、コンピュータに情報提供プログラムをインストールして情報提供機器として機能させたときの使用言語を所望の言語とすることができる。
【００１０】
さらに、本発明の情報提供装置において、前記情報提供プログラムは使用期間が設定されたときには該設定された使用期間内のみ起動可能なプログラムであり、前記要請受付手段は前記情報提供プログラムの使用期間を受け付ける手段であり、前記配信手段は前記要請受付手段で受け付けた使用期間を伴って前記情報提供プログラムを配信する手段であるものとすることもできる。こうすれば、所望の期間だけ使用できる情報提供プログラムと提供情報とを配信することができる。
【００１１】
あるいは、本発明の情報提供装置において、前記要請受付手段は、前記ユーザによりアクセス権の範囲内の情報から選択された情報を前記提供情報として受け付ける手段であるものとすることもできる。こうすれば、アクセス権の範囲内の情報のうち所望の情報を提供情報として配信することができる。この態様の本発明の情報提供装置において、前記要請受付手段は、前記アクセス権の範囲内の情報の見出しをユーザ側に一覧表示することにより該ユーザにより選択された見出しに係る情報を前記提供情報として受け付ける手段であるものとすることもできる。こうすれば、ユーザによる提供情報の選択を容易なものとすることができる。
【００１２】
本発明の情報提供装置において、前記配信手段は、前記情報提供プログラムと前記提供情報とが記憶された記憶媒体がコンピュータにセットされたときに自動的に該コンピュータを前記情報提供機器として機能させるようユーザ側にセットされた記憶媒体に該情報提供プログラムと該提供情報とが記憶されるよう配信する手段であるものとすることもできる。こうすれば、ユーザ側にセットされた記憶媒体に配信された情報提供プログラムを自動的に記憶させることができると共にこの情報提供プログラムが記憶された記憶媒体をコンピュータに接続して認識させるだけでコンピュータを情報提供機器として機能させることができる。
【００１３】
本発明の情報提供装置において、前記所定の情報は製品の部品に関する情報であり、前記ユーザは前記製品を販売および／または修理する代理店であるものとすることもできる。こうすれば、製品の販売または修理を行なう代理店のコンピュータを情報提供機器として機能させて代理店のアクセス権の範囲内で製品の部品に関する情報を提供することができる。
【００１４】
本発明の情報提供用のプログラムは、コンピュータを上述のいずれかの態様の本発明の情報提供装置、即ち、基本的には、所定の情報のうちユーザのアクセス権に応じた情報を該ユーザにネットワークを介して提供する情報提供装置であって、前記ネットワークを介してユーザから、コンピュータにインストールすることにより該コンピュータを前記所定の情報のうち該ユーザのアクセス権の範囲内の少なくとも一部の情報の提供が可能な情報提供機器として機能させる情報提供プログラムと該情報提供機器により提供すべき提供情報との配信の要請を受け付ける要請受付手段と、該要請に基づいて前記提供情報を調整する情報調整手段と、該調整した提供情報と前記情報提供プログラムとを前記要請に係るユーザに前記ネットワークを介して配信する配信手段と、を備える情報提供装置として機能させることを要旨とする。
【００１５】
この本発明の情報提供用のプログラムでは、コンピュータを上述のいずれかの態様の本発明の情報提供装置として機能させるから、本発明の情報提供装置が奏する効果、例えば、ユーザに配信されたプログラムをコンピュータにインストールさせることによりコンピュータを情報提供機器として機能させることができる効果やネットワークに接続することなく情報提供プログラムをコンピュータにインストールするだけでユーザにアクセス権の範囲内の情報を提供することができる効果などと同様な効果を奏することができる。
【００１６】
本発明の情報管理方法は、
所定の情報のうちユーザのアクセス権に応じた情報を該ユーザにネットワークを介して提供する際の情報管理方法であって、
（ａ）前記ネットワークを介してユーザから、コンピュータにインストールすることにより該コンピュータを前記所定の情報のうち該ユーザのアクセス権の範囲内の少なくとも一部の情報の提供が可能な情報提供機器として機能させる情報提供プログラムと該情報提供機器により提供すべき提供情報との配信の要請を受け付け、
（ｂ）該要請に基づいて前記提供情報を調整し、
（ｃ）該調整した提供情報と前記情報提供プログラムとを前記要請に係るユーザに前記ネットワークを介して配信する
ことを要旨とする。
【００１７】
この本発明の情報管理方法によれば、コンピュータにインストールすることによりコンピュータを所定の情報のうちユーザのアクセス権の範囲内の少なくとも一部の情報の提供が可能な情報提供機器として機能させる情報提供プログラムとこの情報提供機器により提供すべき提供情報との配信の要請をユーザからネットワークを介して受け付けたときに、要請に基づいて提供情報を調整し、この調整した提供情報と情報提供プログラムとをそのユーザにネットワークを介して配信するから、ユーザは、配信されたプログラムをコンピュータにインストールすることによりコンピュータを情報提供機器として機能させることができる。したがって、その後、情報提供機器として機能させたコンピュータを用いるだけで、即ち、コンピュータをネットワークに接続することなく、アクセス権の範囲内の情報の提供を受けることができる。
【００１８】
【発明の実施の形態】
次に、本発明の実施の形態を実施例を用いて説明する。図１は、本発明の一実施例である情報提供装置３０を含む情報提供システム２０の構成の概略を示す構成図である。実施例の情報管理装置３０は、図示するように、インターネット２２を介して接続された代理店Ａのコンピュータ４０に製品の部品情報を提供する情報提供サーバとして構成されており、代理店のアクセス権などを管理する代理店管理データベース３２と、製品や部品に関する文書情報を記憶する文書情報データベース３３と、製品の部品に関する部品情報を記憶する部品情報データベース３４と、インターネット２２を介して情報提供を要請した代理店に対してそのアクセス権の範囲内で文書情報や部品情報を提供する情報提供システム３５と、アクセス権の範囲内でコンピュータのＣＤドライブにセットされたときにそのコンピュータを情報管理装置３０と同様に情報提供を行なうＣＤ−ＲＯＭの作成を行なうＣＤ作成システム３６と、代理店のアクセス権を設定して代理店管理データベース３２に登録したり文書情報や部品情報を文書情報データベース３３や部品情報データベース３４に登録する管理システム３７とを備える。
【００１９】
代理店Ａのコンピュータ４０は、内部に図示しないＣＰＵやＲＯＭ，ＲＡＭなどを備える一般のコンピュータとして構成されており、外部記憶装置としてのＣＤドライブ４８が接続されている。また、代理店Ａのコンピュータ４０は、Ｗｅｂページを表示するためのブラウザ４２やＣＤにデータを記録可能なＣＤドライブ４８をコンピュータに適合させるＣＤドライブドライバ４４がインストールされている。なお、実施例では、図示の都合上、インターネット２２に接続されているコンピュータとして代理店Ａのコンピュータ４０だけを示したが、複数の代理店のコンピュータが接続されている。また、図中、代理店Ｂのコンピュータ５０は、インターネット２２に接続する環境にないコンピュータであり、代理店Ｂは代理店Ａの管理下にあるものとし、代理店Ａのコンピュータ４０により作成され送付されたＣＤ−ＲＯＭを代理店Ｂのコンピュータ５０にセットすることにより代理店Ｂのコンピュータ５０をアクセス権の範囲内でオフラインで情報管理装置３０と同様な情報提供が可能な情報提供機器として機能させることができる。
【００２０】
こうして構成された実施例の情報管理装置３０の動作、代理店Ｂのコンピュータ５０を情報提供機器として機能させるＣＤ−ＲＯＭを作成するＣＤ作成処理について説明する。なお、インターネット２２を介して情報提供を要請した代理店に対してそのアクセス権の範囲内で文書情報や部品情報を提供する情報提供システム３４による情報提供処理や代理店のアクセス権を設定して代理店管理データベース３２に登録したり文書情報や部品情報を文書情報データベース３３や部品情報データベース３４に登録する管理システム３６による管理処理については本発明の中核をなさないからその詳細な説明は省略する。以下、実施例の情報管理装置３０にインターネット２２を介して接続された代理店Ａのコンピュータ４０の要請により代理店Ａの管理下の代理店Ｂのコンピュータ５０を情報提供機器として機能させるＣＤ−ＲＯＭを代理店Ａのコンピュータ４０のＣＤドライブ４８で作成する場合を具体例としてＣＤ作成処理について説明する。
【００２１】
図２は、実施例の情報管理装置３０により実行されるＣＤ作成処理の一例を示すフローチャートである。この処理は、インターネット２２を介して接続された代理店Ａのコンピュータ４０に表示された図３に例示する処理選択画面６０から「ＣＤ−ＲＯＭの作成」ボタンが選択されたときに実行される。ＣＤ作成処理が実行されると、実施例の情報管理装置３０は、まず、代理店Ａのコンピュータ４０にＣＤ作成条件入力画面６２を表示出力させる処理を実行する（ステップＳ１００）。図４にＣＤ作成条件入力画面６２の一例を示す。図４に例示するＣＤ作成条件入力画面６２には、代理店Ａのコードを入力する作成会社入力欄６３や代理店Ｂのコードを入力する仕向先入力欄６４，ＣＤ−ＲＯＭがセットされてコンピュータが情報提供機器として機能したときに使用される言語を入力する言語入力欄６５，ＣＤ−ＲＯＭがセットされてコンピュータが情報提供機器として機能させることができる期間を入力する承認日入力欄６６，製品の部品情報の範囲を設定する範囲設定ボックス群６７，各種製品の選択を入力する製品選択エリア６８が設けられている。ここで、作成会社入力欄６３には、情報管理装置３０への接続の際に入力され承認されたＩＤにより特定される代理店（実施例の場合では代理店Ａ）のコードが自動入力される。仕向先入力欄６４は、作成会社入力欄６３に入力されたコードから特定される代理店をキーとして代理店管理データベース３２からその代理店の管理下にある代理店を抽出して一覧として表示されるプルダウンメニューから選択できるようになっており、言語入力欄６５は、予め設定された使用言語の一覧が表示されるプルダウンメニューから選択できるようになっている。また、範囲設定ボックス群６７や製品選択エリア６８では、チェックボックスをチェックすることにより選択できるようになっている。
【００２２】
代理店Ａのコンピュータ４０からＣＤ作成条件入力画面６２の各入力欄およびチェックボックスを用いて選択した後に「出力」ボタンを押すと、入力した内容が代理店Ａのコンピュータ４０から情報管理装置３０に送信され、ＣＤ作成条件として情報管理装置３０に入力される（ステップＳ１１０）。ＣＤ作成条件を入力した情報管理装置３０は、言語入力欄６５に入力された言語に対応したシステムプログラムを代理店Ａのコンピュータ４０に配信すると共に（ステップＳ１２０）、仕向先入力欄６４に入力された代理店（実施例では、代理店Ｂ）のコードに基づいて代理店管理データベース３２からその代理点Ｂのアクセス権を取得すると共にそのアクセス権の範囲内であり且つ範囲設定ボックス群６７および製品選択エリア６８で選択された情報に対応する文書情報と部品情報とを文書情報データベース３３と部品情報データベース３４とから抽出して代理店Ａのコンピュータ４０に配信して（ステップＳ１３０）、このＣＤ作成処理を終了する。実施例におけるシステムプログラムの配信と文書情報や部品情報の配信は、配信先として代理店Ａのコンピュータ４０に接続されたＣＤドライブ４８が選択されると共に作成されたＣＤ−ＲＯＭが代理店Ｂのコンピュータ５０にセットされたときにシステムプログラムが自動的に起動して代理店Ｂのコンピュータ５０をオフラインの情報提供機器として機能させるＣＤ−ＲＯＭを作成するように行なわれる。なお、代理店Ａのコンピュータ４０上で図４に例示したＣＤ作成条件入力画面６２の「出力」ボタンが押されると、前述したようにＣＤ作成条件の入力を行なうと共に図３に例示した処理選択画面６０が代理店Ａのコンピュータ４０に再び表示されるよう出力する。代理店Ａのコンピュータ４０からこの処理選択画面６０で「ダウンロード・状況確認」ボタンを押すと、実施例の情報管理装置３０から図５に例示するダウンロード状況確認画面７０が表示されるよう出力されるから、代理店Ａのコンピュータ４０側でＣＤ−ＲＯＭの作成状況を確認することができる。
【００２３】
こうして作成されたＣＤ−ＲＯＭを代理店Ｂのコンピュータ５０にセットすると、代理店Ｂのコンピュータ５０は代理店Ｂのアクセス権の範囲内で且つ図４に例示したＣＤ作成条件入力画面６２の範囲設定ボックス群６７および製品選択エリア６８で選択された範囲の製品の部品に関する文書情報や部品情報を言語入力欄６５に入力された言語を使用言語として実施例の情報管理装置３０がインターネット２２を介して代理店Ａのコンピュータ４０に情報提供するときと同様の態様（Ｗｅｂ画面）で提供する情報提供機器として機能する。代理店Ｂのコンピュータ５０を情報提供機器として機能させて部品情報を提供している様子の一例を図６および図７に示す。図６は部品情報の検索や選択を行なう画面の一例であり、図７は選択された部品の分解斜視図を表示する画面の一例である。こうした図６および図７に例示する画面はいずれもＷｅｂページとして構成されており、代理店Ａのコンピュータ４０の要請に基づいて情報管理装置３０から代理店Ａのコンピュータ４０に部品情報を提供する際の画面と同一である。なお、部品情報の検索や画像の表示などは通常のＷｅｂサイトにより用いられている検索エンジンやコンテンツの配信と同様であるから、部品情報の検索や画像の表示についての詳細な説明は省略する。
【００２４】
以上説明した実施例の情報管理装置３０によれば、代理店Ａのコンピュータ４０からインターネット２２を介して要請することにより管理下にある代理店Ｂのアクセス権の範囲内の部品情報をオフラインで提供するＣＤ−ＲＯＭを自動的に作成することができる。しかも、情報提供する際の部品情報の範囲や部品情報を提供する際の使用言語，情報提供機器として機能させる期間を設定することもできる。
【００２５】
なお、実施例の情報管理装置３０では、具体例として代理店Ａのコンピュータ４０が管理下にある代理店Ｂのコンピュータ５０を情報提供機器として機能させるＣＤ−ＲＯＭを作成するものとして説明したが、仕向先入力欄６４に代理店Ａのコンピュータ４０のコードを入力することにより、代理店Ａのコンピュータ４０により代理店Ａのコンピュータ４０を情報提供機器として機能させるＣＤ−ＲＯＭを作成することもできる。
【００２６】
実施例の情報管理装置３０では、代理店Ａのコンピュータ４０よりその管理下にある代理店Ｂのコンピュータ５０を情報提供機器として機能させるＣＤ−ＲＯＭを作成することができると共に代理店Ａのコンピュータ４０により代理店Ａのコンピュータ４０を情報提供機器として機能させるＣＤ−ＲＯＭを作成することができるものとしたが、代理店Ａのコンピュータ４０によりその管理下にある代理店Ｂのコンピュータ５０を情報提供機器として機能させるＣＤ−ＲＯＭを作成することはできるが代理店Ａのコンピュータ４０により代理店Ａのコンピュータ４０を情報提供機器として機能させるＣＤ−ＲＯＭは作成することができないものとしたり、逆に代理店Ａのコンピュータ４０により代理店Ａのコンピュータ４０を情報提供機器として機能させるＣＤ−ＲＯＭを作成することはできるが代理店Ａのコンピュータ４０によりその管理下にある代理店Ｂのコンピュータ５０を情報提供機器として機能させるＣＤ−ＲＯＭは作成することができないものとしてもよい。
【００２７】
実施例の情報管理装置３０では、ＣＤ作成条件入力画面６２にＣＤ−ＲＯＭがセットされてコンピュータが情報提供機器として機能したときに使用される言語を入力する言語入力欄６５を設けて使用言語を選択することができるものとしたが、言語入力欄６５をなくして使用言語を選択することができないものとしても構わない。
【００２８】
実施例の情報管理装置３０では、ＣＤ作成条件入力画面６２にＣＤ−ＲＯＭがセットされてコンピュータが情報提供機器として機能させることができる期間を入力する承認日入力欄６６を設けて使用できる期間を入力することができるものとしたが、こうした使用できる期間を入力できないものとしても差し支えない。
【００２９】
実施例の情報管理装置３０では、ＣＤ作成条件入力画面６２に製品の部品情報の範囲を設定する範囲設定ボックス群６７や各種製品の選択を入力する製品選択エリア６８を設けて部品情報を選択できるものとしたが、部品情報を選択できないものとしても差し支えない。
【００３０】
実施例の情報管理装置３０では、製品の部品に関する情報を具体例として用いて説明したが、製品の部品に関する情報に限定されるものではなく、如何なる情報に対しても適用することができる。
【００３１】
実施例では、本発明の一実施の形態として税品の部品に関する情報を提供する情報管理装置３０に適用して説明したが、実施例の情報管理装置３０として説明した情報管理方法の形態としてもよい。また、コンピュータを実施例の情報管理装置３０として機能させるプログラムの形態としてもよい。この場合、図２に例示したＣＤ作成処理の各ステップを適当なプログラム言語によりプログラムすればよい。
【００３２】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】本発明の一実施例である情報提供装置３０を含む情報提供システム２０の構成の概略を示す構成図である。
【図２】実施例の情報管理装置３０により実行されるＣＤ作成処理の一例を示すフローチャートである。
【図３】処理選択画面６０の一例を示す説明図である。
【図４】ＣＤ作成条件入力画面６２の一例を示す説明図である。
【図５】ダウンロード状況確認画面７０の一例を示す説明図である。
【図６】代理店Ｂのコンピュータ５０を情報提供機器として機能させて部品情報を提供させている様子の一例を示す説明図である。
【図７】代理店Ｂのコンピュータ５０を情報提供機器として機能させて部品情報を提供させている様子の一例を示す説明図である。
【符号の説明】
２０　印刷管理システム、２２　インターネット、３０　情報管理装置、３２代理店管理データベース、３３　文書情報データベース、３４　部品情報データベース、３５　情報提供システム、３６　ＣＤ作成システム、３７　管理システム、４０　代理店Ａのコンピュータ、４２　ブラウザ、４４　ＣＤドライブドライバ、４８　ＣＤドライブ、５０　代理店Ｂのコンピュータ、６０　処理選択画面、６２　ＣＤ作成条件入力画面、６３　作成会社入力欄、６４　仕向先入力欄、６５　言語入力欄、６６　承認日入力欄、６７　範囲設定ボックス群、６８製品選択エリア、７０　ダウンロード状況確認画面。
【図１】
2004086686.tif 000003
【図２】
2004086686.tif 000004
【図３】
2004086686.tif 000005
【図４】
2004086686.tif 000006
【図５】
2004086686.tif 000007
【図６】
2004086686.tif 000008
【図７】
2004086686.tif 000009